(57)【特許請求の範囲】
【請求項１】
直管状通路に弁室を備える配管ケースと、
前記弁室内に弁軸を中心として回動自在に配設され、前記直管状通路内の一次側と二次側とを連通可能に形成された球弁体と、
を備えるスチームトラップであって、
前記球弁体には、
前記弁軸と直交させて形成された該球弁体を貫通する直管の小径の孔路と、前記弁軸と直交させて形成された該球弁体を貫通する直管の大径の孔路とが、相互に交わらないようにして形成されており、
前記球弁体の回動位置に応じて、
前記小径の孔路の一方の開放端を前記直管状通路内の一次側に位置させて前記直管状通路内を連通させる第１モード、
前記第１モードの回動位置から前記弁軸を中心として１８０°回動し、前記小径の孔路の他方の開放端を前記直管状通路内の一次側に位置させて前記直管状通路内を連通させる第２モード、
前記第１モードの回動位置と第２モードの回動位置との中間位置であって、前記小径の孔路が前記直管状通路内の一次側と二次側とを連通させていない状態において前記大径の孔路により前記直管状通路内を連通させる第３モード
を切り替え可能に構成されていることを特徴とするスチームトラップ。
【発明の詳細な説明】
【技術分野】
【０００１】
本発明は、一次側と二次側とを連通させる孔路が形成されたボール弁を内蔵するスチームトラップに関する。
【背景技術】
【０００２】
従来より、蒸気使用機器や蒸気輸送管などの蒸気の配管系には、蒸気から復水（ドレン）を分離して系外へ排出するスチームトラップが配設されており、スチームトラップには、配管内に板材等を用いて小径のオリフィス孔が形成された板材や球状部材を配設して、蒸気から復水（ドレン）を分離することがなされている。
【０００３】
オリフィス孔を有するスチームトラップは、弁が作動したときに生蒸気を流出させる「間欠式（機械式）」のスチームトラップに対して「連続式」のスチームトラップとして分類されており、可動部を持たず、一次側の圧力変動がない為にそれを原因とするスチームハンマーが発生しないという利点を有する一方で、一次側から通過する流体中に混入しているゴミ等の異物による詰まり（噛込み）が発生することがあるという問題点を有していた。弁口となるオリフィス孔が塞がれてしまうと、スチームトラップは機能しないので、やがては蒸気使用機器や蒸気輸送管などに復水が溜まり、加熱効率は低下することとなる。
【０００４】
そして、このオリフィス孔の詰まりを解消するべく、オリフィス孔の直前にストレーナを設け、このストレーナでゴミ等を濾し取って詰まりを防止する構造のスチームトラップも開発されている（特許文献１参照）。
【先行技術文献】
【特許文献】
【０００５】
【特許文献１】特開２００１−０２７３８９号公報
【発明の概要】
【発明が解決しようとする課題】
【０００６】
しかしながら、ストレーナを設けた場合においては、ストレーナで濾し取った異物を配管内から取り除くために、配管系からスチームトラップを取り外してストレーナを洗浄するといったメンテナンスの手間がかかる。
【０００７】
そして、オリフィス孔の径よりも大きな異物はストレーナで濾して取ることができるが、現実には、ストレーナを通過した小さな異物が一次側で凝縮し、オリフィス孔に詰まりが発生し、スチームトラップの本来の効率を低下させてしまう事例が多い。
【０００８】
ここで、前述の凝縮する異物には粘性や固着性がない。故に、一次側と二次側の圧力を逆転させれば、一次側に位置していたオリフィス孔に詰まった異物を到来した方向へ押し戻し、取り除くことができる。その点に着目し、図４に示すように、オリフィス孔が配設された通常作動時に用いるメインの配管に対し、一次側と二次側とを結ぶ２系統のバイパスの配管を互い違いに連接するとともにメインの配管やバイパスの配管に開閉弁を配設した逆洗浄配管を用い、それぞれの開閉弁の開閉を制御することにより、一次側と二次側との圧力を入れ替え、一次側に位置していたオリフィス孔の異物を取り除く技術も採用されている。
【０００９】
しかしながら、この逆洗浄配管を設置する場合には配設スペースや施工コストの問題が新たに生じる。
【００１０】
そこで、本発明は、蒸気から復水（ドレン）を分離するための連通孔に詰りが生じ、スチームトラップ自体や蒸気の配管系の効率が低下した場合であっても、簡便な操作でその詰りを解消することができ、短時間で蒸気使用機器や蒸気輸送管などの蒸気の配管系を本来の良好な効率の駆動に戻すことができるスチームトラップを提供することを課題とする。
【課題を解決するための手段】
【００１１】
上記課題を解決するため、本発明のスチームトラップは、直管状通路に弁室を備える配管ケースと、前記弁室内に弁軸を中心として回動自在に配設され、前記直管状通路内の一次側と二次側とを連通可能に形成された球弁体とを備えるスチームトラップであって、前記球弁体には、前記弁軸と直交させて形成された該球弁体を貫通する直管の小径の孔路と、前記弁軸と直交させて形成された該球弁体を貫通する直管の大径の孔路とが、相互に交わらないようにして形成されており、前記球弁体の回動位置に応じて、前記小径の孔路の一方の開放端を前記直管状通路内の一次側に位置させて前記直管状通路内を連通させる第１モード、前記第１モード回動位置から前記弁軸を中心として１８０°回動し、前記小径の孔路の他方の開放端を前記直管状通路内の一次側に位置させて前記直管状通路内を連通させる第２モード、前記第１モードの回動位置と第２モードの回動位置との中間位置であって、前記小径の孔路が前記直管状通路内の一次側と二次側とを連通させていない状態において前記大径の孔路により前記直管状通路内を連通させる第３モードを切り替え可能に構成されていることを特徴とする。
【００１２】
本発明のスチームトラップは、前記球弁体を前記弁軸を中心として１８０°回動させて第１モードと第２モードとを切り替え、前記小径の孔路の両端の開口を前記直管状通路内の一次側と二次側とで入れ替えることで、前記小径の孔路の二次側に位置していたオリフィス孔から前記小径の孔路内を通過する蒸気等の流体を通して、前記小径の孔路の一次側に位置していたオリフィス孔近傍に付着して詰まりを生じさせる異物を二次側へ排出して取り除くことができる。
【００１３】
さらに、前記球弁体を前記弁軸を中心として１８０°回動させて第１モードと第２モードとを切り替える際に経由する第３モードにおいては、大径の孔路を以て前記差圧を減少させて勢いを弱めた状態で一次側に滞留する蒸気等を強制的に二次側へ流出させることができる。
【発明の効果】
【００１４】
本発明によれば、オリフィス孔に詰まりが生じ、スチームトラップ自体や蒸気の配管系の効率が低下した場合であっても、球弁体の弁軸周りの回動のみでボール弁のオリフィス孔の詰りを短時間で解消することができ、スチームトラップとしての本来の性能を維持することができる。
【図面の簡単な説明】
【００１５】
【図１】本実施形態のスチームトラップの第１モードにおけるボール弁の連通状態を説明する（１）上面図、（２）（１）のII-II断面図、（３）（２）の左方向視野図、（４）（１）の配管ケース内における球弁体の小径の孔路と大径の孔路との位相を異ならせた位置関係を説明する一部透過上面図、（５）（４）の配管ケースの右方向視野図
【図２】図１のスチームトラップの第３モードにおけるボール弁の連通状態を説明する（１）上面図、（２）（１）のII-II断面図、（３）（２）の左方向視野図、（４）（１）の配管ケース内における球弁体の小径の孔路と大径の孔路との位相をを異ならせた位置関係を説明する一部透過上面図、（５）（４）の配管ケースの右方向視野図
【図３】図１のスチームトラップの第２モードにおけるボール弁の連通状態を説明する（１）上面図、（２）（１）のII-II断面図、（３）（２）の左方向視野図、（４）（１）の配管ケース内における球弁体の小径の孔路と大径の孔路との位相を異ならせた位置関係を説明する一部透過上面図、（５）（４）の配管ケースの右方向視野図
【図４】従来のスチームトラップの詰まりを解消するための逆洗浄配管であって、（１）は通常時の流れ、（２）は詰まり発生を除去するメンテナンス時の流れを示す説明図
【発明を実施するための形態】
【００１６】
本発明のスチームトラップの一実施形態について、図１乃至図３を用いて説明する。
【００１７】
本実施形態のスチームトラップは、直管状通路を構成する管状の配管ケース１と、配管ケース１の直管状通路内の一次側と二次側とを連通可能に形成され、配管ケース１内に弁軸３を中心として回動自在に配設された球弁体１０とを備える。
【００１８】
前記配管ケース１の直管状通路内には球弁体１０が内蔵される弁室２が形成されており、球弁体１０は、気密部材により気密にされた弁室２内において定位置に配設された一次側管状パッキン４と二次側管状パッキン５との間で摺接回動可能に挟持されている。
【００１９】
球弁体１０には、配管ケース１の直管状通路の延出方向に直交させて配管ケース１と弁室２とを連通させて形成された軸穴６に挿入された弁軸３の一端を嵌合させて固定する弁軸連結部が穿設されている。
【００２０】
また、球弁体１０には、弁軸３と直交させ、球弁体１０を貫通させて形成され、直管状通路内の一次側と二次側とを連通させ、その差圧により蒸気からドレンを分離可能とされた直管の小径の孔路１２が形成されている。ここで、孔路とは、板材に穿った穴のような深さの無い、浅いものを意味するものではなく、例えば、ある程度の深さ（長さ）、具体的には孔径１ｍｍに対し５ｍｍ以上、即ち、孔径の５倍程度の長さ、を有する通路状の孔を意味する。本実施形態のように、球弁体１０に、穴としてのオリフィスを設けるのではなく、球弁体１０の直径寸法と同程度の長さを有する通路状の孔路（柱状オリフィス）を設け、一次側と二次側とを連通させることにより、上記の流出速度を抑制し、結果として、蒸気の漏れを軽減・抑止する能力を高めることができる。
【００２１】
本実施形態において、小径の孔路１２は直径０．９ｍｍで、配管ケース１の直管状通路の中心軸に対して弁軸３から延出させた仮想回動軸上を通り、かつ、直管状通路内の反弁軸配設側、つまり、直管状通路内底部側に形成されている。
【００２２】
さらに、球弁体１０には、弁軸３と直交させ、球弁体１０を貫通させて形成され、小径の孔路１２が直管状通路内の一次側と二次側とを連通させていない状態において直管状通路に沿って位置してその一次側と二次側とを連通させ、差圧を減少させて一次側の流体を二次側へ流出する直管の大径の孔路１３が形成されている。つまり、小径の経路１２と大径の経路１３は同時に開口することはないような位置関係で形成されている。
【００２３】
本実施形態において、大径の孔路１３は直径２．５ｍｍで、弁軸３から延出させた仮想回動軸上を通り、小径の孔路１２と位相を異ならせて、具体的には、小径の孔路１２と弁軸方向視野において直交し、かつ、直管状通路内の弁軸配設側、つまり、直管状通路内上部側に形成されている。
【００２４】
配管ケース１から外方へ突出する弁軸３の他端には、一次側管状パッキン４や二次側管状パッキン５に摺動させつつ回動させる操作部としてのハンドル１４が接続されている。
【００２５】
そして、本実施形態のスチームトラップにおいては、ハンドル１４は、図１に示す第１モードの回動位置から、さらに９０°ほど右回りに回動した、図２に示す第３モードの回動位置、さらに９０°ほど右回りに、つまりは、第１モードの回動位置からは１８０°の対向位置に回動した図３に示す第２モードの回動位置との間を回動し、第１モードにおいては、小径の孔路１２の一方の開放端を直管状通路内の一次側に位置させて直管状通路内を連通させ、第２モードにおいては、小径の孔路１２の他方の開放端（開口）を直管状通路内の一次側に位置させて直管状通路内を連通させ、第３モードにおいては、小径の孔路１２が直管状通路内の一次側と二次側とを連通させていない状態において弁軸３の大径の孔路１３により直管状通路内を連通させるように構成されている。
【００２６】
そして、図１に示すように、小径の孔路１２の一方の開放端を管状通路内の一次側に位置させて前記直管状通路内を連通させ、小径の孔路１２を一次側の蒸気やドレンを一次側と二次側との差圧を利用して分離していた第１モードにおいてその小径の孔路１２の一次側に詰まった異物を取り除くメンテナンスを行う場合、ハンドル１４を把持し、図３に示すように、弁軸３を介して球弁体１０を右回りに１８０°回動させて、いままで二次側に位置していた小径の孔路１２の開放端を直管状通路内の一次側に位置させて直管状通路内を連通させる第２モードとする。
【００２７】
第２モードとなり、小径の孔路１２に一次側から流体が流れ込むことで、小径の孔路１２の一次側近傍に付着して詰まりを生じさせる異物を二次側へ排出して取り除くことができる。
【００２８】
また、第２モードで駆動中に、その小径の孔路１２の一次側に詰まった異物を取り除くメンテナンスを行う場合には再びハンドル１４を回動操作し、第１モードとすればよい。
【００２９】
なお、図２に示すように、ハンドル１４の回動操作の途中であって、第１モードと第２モードとの間に設けられた第３モードの回動位置においては、小径の孔路１２ではなく、大径の孔路１３により直管状通路内を連通させる。よって、本実施形態の場合、一次側において直管状通路内に滞留するドレンや異物を強制的に二次側へ流出させる。
【００３０】
このように、ハンドル１４を回動操作し、球弁体１０を弁軸３の周りに回動させ、第１モード乃至第３モードを切り替えることで、球弁体１０の開口の詰りを短時間で解消することができ、スチームトラップとしての本来の性能を維持する。 
【００３１】
なお、本発明は上記の実施形態に限定されるものではなく、本発明の要旨を逸脱しない範囲で種々変形実施できる。例えば、球弁体１０に貫通させて形成する小径の孔路１２、大径の孔路１３は、本実施形態の位置に限らない。
【符号の説明】
【００３２】
１  配管ケース
２  弁室
３  弁軸
４  一次側環状パッキン
５  二次側環状パッキン
６  軸穴
１０  球弁体
１１  弁軸連結部
１２  小径の孔路
１３  大径の孔路
１４  ハンドル
【要約】 
【課題】  簡便な操作でその詰りを解消することができ、短時間で蒸気使用機器や蒸気輸送管などの蒸気の配管系を本来の良好な効率の駆動に戻すことができるスチームトラップを提供すること。
【解決手段】  
弁室２内に弁軸３を中心として回動自在に配設された球弁体１０に、弁軸３と直交させて形成された直管の小径の孔路１２と、前記弁軸３と直交させ、かつ、小径の孔路１２と位相を異ならせて形成された直管の大径の孔路１３とを形成し、球弁体１０の回動位置に応じて、小径の孔路１２の一方の開放端を一次側に位置させて直管状通路内を連通させる第１モード、他方の開放端を一次側に位置させて直管状通路内を連通させる第２モード、第１回動位置と第２モード回動位置との中間位置であって、大径の孔路１３により直管状通路内を連通させる第３モードを切り替え可能に構成する。
【選択図】  図１【図１】
0006779507.tif 000002
【図２】
0006779507.tif 000003
【図３】
0006779507.tif 000004
【図４】
0006779507.tif 000005